(57)【要約】【課題】  床吹出し空調において給気チャンバ内における給気の温度変化をなるべく小さくできる空調システムを提供する。【解決手段】  床吹出し空調を行うための給気チャンバ２１が床の下方に形成された室１０の壁面に設けられた窓５０の下方にペリカウンタ５２を設け，ペリカウンタ５２の前面を，室１０の下部に向って給気する通気面５３とし，ペリカウンタ５２内に給気を供給するチャンバ５５を配置し，チャンバ５５に開閉ダンパ６１を介してダクト６０とファン７０を接続した空調システム１である。この空調システム１によれば，床吹出し空調において給気チャンバ２１内における給気の温度変化をなるべく小さくできるようになる。【選択図】  図１
2005098696.tif 000002
【特許請求の範囲】
【請求項１】
床吹出し空調を行うための給気チャンバが床の下方に形成された室の壁面に設けられた窓の下方にペリカウンタを設け，
ペリカウンタの前面を，室の下部に向って給気する通気面とし，
ペリカウンタ内に給気を供給するチャンバを配置し，
チャンバに開閉ダンパを介してダクトとファンを接続したことを特徴とする，空調システム。
【請求項２】
チャンバの前面に開口する給気口に，吹き出し気流に旋回成分を与えるフィンを装着したことを特徴とする，請求項１に記載の空調システム。
【請求項３】
別の開閉ダンパを介して，ダンパの下端にペリカウンタ内に開口する開口部を形成し，ペリカウンタの上面に，ペリメータゾーンで発生したコールドドラフトをペリカウンタの内部に流下させるスロットを開口させたことを特徴とする，請求項１または２に記載の空調システム。
【請求項４】
ペリカウンタの内部に，コールドドラフトが流下してきたことを検出するセンサを設け，コールドドラフトがペリカウンタ内に流下してきた場合は，ダクト下端の開口部にある前記別のダンパを開き，チャンバとダンパの間の開閉ダンパを閉じた状態で，ファンを稼動させることを特徴とする，請求項３に記載の空調システム。
【請求項５】
室の天井の上方に還気チャンバを形成し，ダクトを還気チャンバに通じさせたことを特徴とする，請求項１，２，３または４に記載の空調システム。
【発明の詳細な説明】
【技術分野】
【０００１】
本発明は，空調システムに関する。
【背景技術】
【０００２】
一般に，室内において，作業員がＯＡ機器の操作などを行うタスク域（作業域）を個別に空調し，タスク域を取囲んでいるアンビエント域（人の滞在が非定常である区域）をタスク域とは別に制御して空調するタスク・アンビエント空調が知られている。このタスク・アンビエント空調は，タスク域を個別に空調することによって，快適性の向上をはかったものであり，タスク・アンビエント空調に関しては，従来より，（Ａ）タスク域に対し天井ノズルから吹付けを行い，アンビエント域を通常の吹出口による天井吹出し空調によって空調する方式，（Ｂ）タスク域を床吹き出し空調し，アンビエント域をこの吹出された空調による天井付着噴流により空調する方式などが公知である。
【０００３】
ところが，（Ａ）の方式によると，レイアウト変更が困難，天井内機器の増加，非タスク域（アンビエント域）まで空調することによる負荷増加等の難点がある。また（Ｂ）の方式によると，システムの複雑化，非タスク域（アンビエント域）まで空調することによる負荷増加等の難点がある。そして，これら（Ａ）（Ｂ）の方式によると，従来のタスク・アンビエント空調では，室内全体を空調していたので，省エネルギ化がはかりにくかった。
【０００４】
ここで，一般的に床吹出し空調は居住者の近傍に吹出し口を設けやすく，パーソナル性に優れるとされているが，二重床内で下階や室内から熱を授受するために，吹出し温度が空調機から離れるにしたがって，大きく上昇（あるいは下降）する。温熱体感は，暴露域の吹出し気流速度によっても変わるが，気流温度によって大きく異なり，床吹出しだけでタスク・アンビエント空調を行うと，場所によって体感が大きく異なってしまう。この場合，吹出し温度を適切な範囲に均一化できれば，個人別の体感調整がより容易になる。しかし，通常のオフィスでは，タスク域とアンビエント域の面積割合が１：１程度であり，半数の床吹出し口をアンビエント用として空調機遠方に集中配置できれば，床下温度がより均一にできるが，オフィス家具などの制約もあり，現実的ではない。また，床吹出し空調では多数の吹出し口が必要になる，設置できる場所が限られており，適切な配置が難しい場合もある。
【発明の開示】
【発明が解決しようとする課題】
【０００５】
本発明の目的は，床吹出し空調において給気チャンバ内における給気の温度変化をなるべく小さくできる空調システムを提供することにある。
【課題を解決するための手段】
【０００６】
この目的を達成するために，本発明によれば，床吹出し空調を行うための給気チャンバが床の下方に形成された室の壁面に設けられた窓の下方にペリカウンタを設け，ペリカウンタの前面を，室の下部に向って給気する通気面とし，ペリカウンタ内に給気を供給するチャンバを配置し，チャンバに開閉ダンパを介してダクトとファンを接続したことを特徴とする，空調システムが提供される。チャンバの前面に開口する給気口に，吹き出し気流に旋回成分を与えるフィンを装着しても良い。また，別の開閉ダンパを介して，ダンパの下端にペリカウンタ内に開口する開口部を形成し，ペリカウンタの上面に，ペリメータゾーンで発生したコールドドラフトをペリカウンタの内部に流下させるスロットを開口させても良い。また，ペリカウンタの内部に，コールドドラフトが流下してきたことを検出するセンサを設け，コールドドラフトがペリカウンタ内に流下してきた場合は，ダクト下端の開口部にある前記別のダンパを開き，チャンバとダンパの間の開閉ダンパを閉じた状態で，ファンを稼動させても良い。また，室の天井の上方に還気チャンバを形成し，ダクトを還気チャンバに通じさせても良い。
【０００７】
なお，室内に形成されるタスク域を床吹出し方式によって空調し，アンビエント域を置換換気空調方式によって空調することを特徴とする，タスク・アンビエント空調方法が提供される。この空調方法にあっては，高温になる非居住域の空調空気による攪拌作用を伴わないので省エネルギー化がはかられ，また，必要な分だけを送気するだけで快適性を維持できる。
このタスク・アンビエント空調方法において，タスク域に対し，二重床から床吹出し方式によって給気し，アンビエント域に対してはタスク域に給気する空調空気と同じ空気源から供給された空調空気を，二重床から置換換気チャンバに導入し，室の下方に給気するようにしてもよい。この場合，タスク域に対し，加圧された空気を二重床から加圧吹出し方式によって給気しても良いし，タスク域に対して，二重床からファンを利用して給気するようにしても良い。タスク域とアンビエント域に同じ空気源（二重床）から供給された空調空気を給気することにより省コスト化をはかることができる。また，タスク域の外周部に設置した置換換気チャンバまで送気するので，空調機遠方の二重床風量が大きくなるため,二重床内の温度が均一となり，室内の空気の温度分布が均一化される。
【０００８】
また，前記アンビエント域に対し，ペリカウンタから給気し，ペリメータゾーンで発生した熱気を，ペリメータゾーンの上方において室外に強制的に排気し，その際，ペリメータゾーンで発生した熱気の温度に基いて排気風量を決定し，ペリメータゾーンで発生したコールドドラフトを，ペリメータゾーンの下方において室外に強制的に排出することが好ましい。例えば夏季などにおいては，ペリメータゾーンで発生して上昇する熱気を，室内雰囲気を攪拌させることなく速やかに室外に排気することにより，室内雰囲気への影響を防止することができる。また，タスク域とアンビエント域に同じ空気源から供給された空調空気を給気することにより，ペリメータゾーンの空気処理も省コストでできるようになる。また例えば冬季などにおいては，ペリメータゾーンで発生したコールドドラフトを，ペリメータゾーンの下方において室外に強制的に排出し，室内雰囲気への影響を防止する。また，例えば冬季などにおいて，ペリメータゾーンで日射により熱気が発生するような場合は，ペリメータゾーンで発生して室外に排出した熱気を，再び室内に供給して暖房に活用することも可能である。なお，「室外に排出」とは，屋外に排気するほか，いったん天井裏等に排出して空調に再利用する「還気」も含む概念である。
【０００９】
また，前記ペリメータゾーンで発生した熱気を複数の箇所から排出し，室温が設定温度以下の場合は，排出される熱気の温度が高い箇所については排気量を減らし，排出される熱気の温度が低い箇所については排気量を増やすことが好ましい。この場合，ペリメータゾーンが複数箇所にあり，それら複数のペリメータゾーンについて，排出される熱気の温度が高いペリメータゾーンについては排気量を減らし，排出される熱気の温度が低いペリメータゾーンについては排気量を増やすようにしても良い。また，一つのペリメータゾーンにおいて複数箇所で熱気を排出する場合は，そのペリメータゾーンについて，排出される熱気の温度が高い箇所については排気量を減らし，排出される熱気の温度が低い箇所については排気量を増やすようにしても良い。このように一つのペリメータゾーンについて，複数箇所で排気量を増減させる場合，それら複数の箇所は間仕切等で仕切られていても良いし，そのような間仕切が存在しなくてもよい。
【００１０】
また，室内に形成されるタスク域にタスク空調を行うための空気を供給する吹出し口を室の床面に配置し，室内に形成されるアンビエント域に置換換気空調を行うための空気を供給する給気口を室の側面に配置し，室内の空気を排出する吸気口を，室の天井面に設置したことを特徴とする，タスク・アンビエント空調システムが提供される。なお，室の天井面に設置された吸気口から排出した空気は，空調後再び室内に還気しても良いし，そのまま外部に排気してもよい。このように天井面に設置された吸気口を，各種の運転モードによって使い分けることが可能である。この空調システムにあっては，室の床レベルにおいて，タスク域に対しては，タスク空調を行うための空気を室の床面に配置された吹出し口から供給し，アンビエント域に対しては，置換換気を行うための空気を室の側面に配置給気口から供給する。そして，室の天井面に設置された吸気口により，室内の空気を排気する。居住域空調に適した置換換気によってアンビエント域の換気に必要な分の風量を供給し，床下温度の均一化を図るとともに，タスク域の床吹出しによってパーソナル空調性を持たせることができる。また，ダクトレス化によるイニシャルコスト低減や空調起動時間の短縮，アンビエント域も居住域高さ以下の空調を行うことによって，省エネルギー運転を行うことが可能となる。また，レイアウト変更が容易で，天井内機器などを増加することなく，簡単なシステムを構成でき，負荷増加も回避して省エネルギ化がはかられる。
【００１１】
この空調システムにおいて，ペリメータゾーンにペリカウンタを配置し，このペリカウンタ内に，吹き出し気流に旋回成分を与えるフィンを装着した置換換気チャンバを配置し，前記タスク域に給気する吹出し口に風量調整機構を装着し，前記タスク域とアンビエント域に同じ空気源から供給された空調空気を給気するように構成しても良い。ペリカウンタから置換換気によってアンビエント域に給気し，床下温度の均一化をはかると共に，タスク域に風量調整した空気を供給することにより，パーソナル空調性を高めることができる。また，ダクトレス化によるイニシャルコスト低減や，空調起動時間の短縮がはかれる。また，アンビエント域も居住空間の高さまで空調を行うことによって，更に省エネルギ化がはかれる。
また，タスク域とアンビエント域を仕切る位置にパーテションを配置し，このパーティションの足下に空気流通用の開口を設けても良い。この場合，「足下」とは足の下部のことであり，例えば床上３０ｃｍ以下の高さをいう。このようにパーティションの足下に開口を設ければ，置換換気空調の給気をタスク域まで搬送でき，アンビエント空調で使った空気をさらにタスク域にも供給でき，全体として風量を低減できる。なお，タスク空調を行うための空気を供給する吹出し口は風量調整機能を備えていても良い。また，タスク空調を行うための空気を供給する吹出し口や置換換気を行うための空気を供給する給気口には，旋回成分を加えるためのフィンを設けても良い。
【発明の効果】
【００１２】
本発明によれば，床吹出し空調において給気チャンバ内における給気の温度変化をなるべく小さくできるようになる。
【発明を実施するための最良の形態】
【００１３】
以下，本発明の好ましい実施の形態を図面を参照にして説明する。図１は，本発明の実施の形態にかかるタスク・アンビエント空調システム（以下「空調システム」という）１の概略的な構成を示す説明図である。
【００１４】
室１０の内部は，下方（床２０から１．８ｍ程度の高さまで）が居住空間８であり，居住空間８よりも上方は，非居住空間９になっている。居住空間８には，作業員１１がＯＡ機器１２の操作などを行うタスク域（作業域）１３と，このタスク域１３を取囲んでいるアンビエント域１４が形成されている。アンビエント域１４は，例えば壁面から５０ｃｍ程度の範囲で形成されている。図示の例では，タスク域１３に存在する各作業スペース１５を互いに仕切るようにパーテション１６が複数枚設置されている。そして，それら複数枚の内の一部のパーテション１６は，タスク域１３とアンビエント域１４を仕切る位置に配置されている。また，各パーティション１６の足下の部分には，開口１７がそれぞれ設けられている。
【００１５】
室１０の床２０の下方には給気チャンバ（二重床）２１が形成されており，室１０の天井２２の上方には還気チャンバ２３が形成されている。また，室１０の一側面（図１に示す例では，室１０の右側面）には，空調機械室２５が形成されている。空調機械室２５には，フィルタ２６，熱交換器２７，ファン２８を備える空調機２９が装置されている。そして，この空調機２９には還気ダクト２９ａと外気取入ダクト２９ｂが接続される。そしてこの空調機２９の稼動により，還気チャンバ２３から取込んだ還気ＲＡと外気ＯＡを混ぜて，塵埃のろ過，温度調節及び湿度調節を行い，作り出した給気ＳＡを給気チャンバ２１に送り，室１０に供給するようになっている。
【００１６】
室１０の床２０には，タスク域１３に存在する各作業スペース１５に対して，タスク空調を行うための空気（給気ＳＡ）を供給する吹出し口３０が設けられている。前述のように空調機２９によって塵埃のろ過，温度調節及び湿度調節され，給気チャンバ２１に給気ＳＡが送られることにより，給気チャンバ２１内が陽圧となり，吹出し口３０を通って給気ＳＡが上向きに吹き出され，タスク域１３に存在する各作業スペース１５に下から吹きつけられる。
【００１７】
図２は，吹出し口３０の斜視図（ａ）と分解図（ｂ）である。この吹出し口３０は，上下が開口した円筒形状をなすケーシング３１の内部に，旋回ガイドベーン３２とシャッタ３３を上下に配置し，ケーシング３１の上面に取りつけたカバー３４の上から旋回ガイドベーン３２及びシャッタ３３の中心に貫通させたシャフト３５の下端に押え部材３６を取りつけて締めつけた構成になっている。
【００１８】
シャッタ３３は，複数枚の羽３７を備えており，モータ３９の稼動でシャフト３５を中心に羽３７を回転させて，互いの羽３７の位置を変更できるようになっている。例えば，図３に示すように，各羽３７を同じ位置に揃えて重ねた場合は，羽３７によって遮られる面積が小さくなってシャッタ３３は開かれた状態となり，吹出し口３０を通る給気ＳＡの風量が多くなる。また例えば，図４に示すように，各羽３７の位置をずらして広げた場合は，羽３７によって遮られる面積が大きくなってシャッタ３３は閉じられた状態となり，吹出し口３０を通る給気ＳＡの風量が少なくなる。
【００１９】
図１に示すように，タスク域１３に存在する各作業スペース１５には，モータ３９の稼動を制御して，このようにシャッタ３３を開閉させるコントローラ３８が配置されている。そして，各作業スペース１５において，作業員１１がコントローラ３８を操作してシャッタ３３を開閉させることにより，各作業スペース１５の吹出し口３０から上向きに吹き出される給気ＳＡの風量が調整されるようになっている。タスク域１３に供給される冷気または暖気が不足する場合は，作業員１１がコントローラ３８を操作してシャッタ３３を開き，逆に過供給の場合は，シャッタ３３を閉じればよい。
【００２０】
また，シャッタ３３の上方に配置される旋回ガイドベーン３２は，中央の支持部材４０の周りに，複数枚の板状のフィン４１を，適当な等間隔で放射状に取り付けた構成になっている。吹出し口３０から各作業スペース１５に向かって吹き出す給気ＳＡに旋回成分を与えるべく，これら各フィン４１は，吹出し口３０の中心軸（シャフト３５）に対してそれぞれ傾斜して配置されている。そして，給気チャンバ２１から吹出し口３０を通してタスク域１３に給気ＳＡを供給する際に，各フィン４１に沿わせて強制的に流すことにより，図２（ａ）に示すように，吹出し口３０から各作業スペース１５に向かって吹き出す給気ＳＡに，シャフト３５を中心軸とする旋回成分が与えられるようになっている。
【００２１】
図５は，給気チャンバ２１の平面図である。給気チャンバ２１の一側面（図５に示す例では，給気チャンバ２１の右側面）は，前述したレタンチャンバ２５の下端に接続されており，空調機２９によってろ過及び温度調節された給気ＳＡが，給気チャンバ２１の一側面から給気チャンバ２１内に供給される。こうして給気チャンバ２１内に供給された給気ＳＡは，給気チャンバ２１の内部に配置された拡散板４５に衝突して拡散し，給気チャンバ２１の内部全体に満遍なく給気ＳＡが供給されるようになっている。この拡散板４５は，例えばその高さが給気チャンバ２１の高さの約半分であり，本出願人が先に開示した特開平７−２４３６６５（特許第３０４０９１０）に記載された拡散板と同様のものを採用することができる。
【００２２】
図示の例では，給気チャンバ２１の他の側面（図５において，上下側と左側に示された側面）には，給気チャンバ２１内の給気ＳＡを，後に説明する置換換気チャンバ５５に供給する開口４６が設けてある。前述のように給気チャンバ２１内に供給された給気ＳＡは，一部は室１０の床２０に設けられた吹出し口３０を通ってタスク域１３に上向きに吹きつけられ，残りは，開口４６を通って，各置換換気チャンバ５５に供給されるようになっている。
【００２３】
図６は，室１０の壁面（背部にレタンチャンバ２５が形成されていない側面の壁面であり，この実施の形態ではペリメータゾーン）を室１０の内側から見た状態を示している。図示の例では，室１０の壁面には，窓５０が設けてあり，窓５０の左右両側に支柱５１が形成され，窓５０の下方にはペリカウンタ５２が設けてある。ペリカウンタ５２の前面は，室１０内の下部に向って給気ＳＡを供給する通気面５３に形成されている。
【００２４】
図７は，ペリカウンタ５２の内部の説明図である。ペリカウンタ５２の内部には，置換換気チャンバ５５が設置されている。図示の例では，背部にレタンチャンバ２５が形成された建物側面の壁面を除いて，各壁面の下部に設けられたペリカウンタ５２の内部に置換換気チャンバ５５をそれぞれ設置することにより，室１０の内部においてタスク域１３の周りに形成されたアンビエント域１４に，置換換気チャンバ５５が配置された状態になっている。
【００２５】
置換換気チャンバ５５の前面（室１０の内部に向いた面）には，多数の給気口５６が開口しており，前述のように給気チャンバ２１内から開口４６を通って置換換気チャンバ５５に供給された給気ＳＡが，給気口５６から置換換気チャンバ５５の前面に供給されるようになっている。こうして置換換気チャンバ５５から供給された給気ＳＡは，更にペリカウンタ５２前面（室１０の内部に向いた面）の通気面５３を通過して，室１０内のアンビエント域１４に供給される。なお，通気面５３は意匠上取りつけるものであり，給気口５６と略同じ位置に設けられる。
【００２６】
置換換気チャンバ５５の前面に開口している各給気口５６には，図８に示すように，複数枚のフィン５７がそれぞれ装着されている。各給気口５６の中央に支持部材５８が設けてあり，各フィン５７は，この支持部材５８の周りに適当な等間隔で放射状に取り付けてある。各給気口５６から室１０内のアンビエント域１４に向かって供給される給気ＳＡに旋回成分を与えるべく，これら各フィン５７は，給気口５６の中心軸に対してそれぞれ傾斜して配置されている。そして，給気口５６からペリカウンタ５２前面の通気面５３を通してアンビエント域１４に給気ＳＡを供給する際に，各フィン５７に沿わせて強制的に流すことにより，給気ＳＡに旋回成分が与えられるようになっている。
【００２７】
図９に示すように，横に並んでいる給気口５６同士の場合は，相隣り合う給気口５６から吐出される給気ＳＡの旋回方向が互いに同じ回転方向の関係であるが，縦に並んでいる給気口５６同士の場合は，相隣り合う給気口５６から吐出される給気ＳＡの旋回方向が互いに逆の回転方向の関係となるように，各給気口５６に装着されるフィン５７の向きが設定されている。これにより，各給気口５６から旋回しながら吐出される給気ＳＡが，左右に広がる運動方向が互いに同じとなり，相殺されずに横に広く拡散するようになっている。
【００２８】
図７に示すように，ペリカウンタ５２の横には，ペリカウンタ５２と連通可能にダクト６０が立設してある。このダクト６０は，例えば図６に示した支柱５１に接して配置され（但し，図１においては，説明のため，ダクト６０を窓５０の外部に記載している），天井裏の還気チャンバ２３に通じている。ダクト６０の下端には，開閉ダンパ６１を介して置換換気チャンバ５５と連通するバイパス管６２が接続してある。また，ダクト６０の下端には，別の開閉ダンパ６３を介して開口部６４がペリカウンタ５２内に開口するように形成してある。
【００２９】
ペリカウンタ５２の上面には，例えば冬季などにおいて，ペリメータゾーン（室１０内における窓５０の近傍部）で発生したコールドドラフトを，ペリカウンタ５２の内部に流下させるスロット６５が，ペリカウンタ５２の幅いっぱい（窓５０の幅とほぼ同じ）に開口している。スロット６５は窓５０に沿うように，ペリメータゾーンの下方に配置されている。図１に示すように，ペリカウンタ５２の内部には，こうしてペリカウンタ５２内にコールドドラフトが流下してきたことを検出する温度センサ６６が設けられている。
【００３０】
ダクト６０の端末には，ファン７０が接続してある。例えば冬季などにおいて，ペリメータゾーンで発生したコールドドラフトがスロット６５からペリカウンタ５２内に流下してきた場合は，前述の開閉ダンパ６３を開き開閉ダンパ６１を閉じた状態で，ファン７０を稼動させることにより，ペリカウンタ５２内に流下したコールドドラフトを，開口部６４からダクト６０を通じて，還気チャンバ２３内に強制的に送ることができる。また，起動時の運転方法として，前述の開閉ダンパ６１を開き，ファン７０を稼動させた場合は，給気チャンバ２１内の給気ＳＡを，置換換気チャンバ５５，開口４６及びダクト６０を通じて，還気チャンバ２３内に強制的に送ることができる。
【００３１】
室１０の天井２２には，室１０内の空気を還気チャンバ２３内に排気させる吸気口７５が設けてある。前述の空調機２９の稼動により，還気チャンバ２３からレタンチャンバ２５に還気ＲＡが取込まれることにより，還気チャンバ２３内が陰圧となり，室１０内の天井レベルにある空気が吸気口７５を通って還気チャンバ２３内に還気される。
【００３２】
ペリメータゾーンの上方には，例えば夏期などにおいて，ペリメータゾーンで発生した熱気を，室１０外に排気させるためのスロット７６が開口している。スロット７６は窓５０の幅いっぱいに，ペリメータゾーンの上方に配置されている。このスロット７６の上部にはダクト７７を通じて排気ファン７８が接続してあり，例えば夏期などにおいて，熱気が窓５０近辺（ペリメータゾーン）にこもるのを回避すべく，排気ファン７８の稼動により，その上昇気流をスロット７６から速やかに吸い込み，ダクト７７を通じて屋外に排気するようになっている。これにより，窓５０近辺には近傍の空調された冷気が吸い寄せられて暑熱が緩和する。スロット７６には，このようにペリメータゾーンで熱せられて発生した上昇気流を検出する温度センサ８０が設けられている。
【００３３】
さて，この空調システム１において空調を行うには，空調機２９の稼動により，空調された給気ＳＡを給気チャンバ２１に送り込み給気チャンバ２１内を陽圧にする。こうして，室１０内のタスク域１３に存在する各作業スペース１５に対しては，吹出し口３０を通って給気ＳＡを上向きに供給し，一方で，アンビエント域１４に対しては，ペリカウンタ５２内部に設置された置換換気チャンバ５５から通気面５３を通過させて給気ＳＡを供給する。
【００３４】
ここで，以上のように給気チャンバ２１から室１０内に給気ＳＡを供給して空調を行う場合，図１０に示すように，給気チャンバ２１の内部に対して，室１０の床２０（給気チャンバ２１の上面）や室１０の下階の天井２２’（給気チャンバ２１の上面）から熱の授受があり，給気チャンバ２１内を移動中に給気ＳＡの温度が変化する。例えば夏季に冷房運転を行う場合は，図１０（ａ）に示すように，空調機２９の出口温度が２０℃，室１０内の床表面の温度が２６℃，室１０の下階の天井スラブの下面レベルの温度が３０℃であれば，床２０を通じて室１０から給気チャンバ２１に熱Ｑociが移動し，天井スラブ２２’を通じて室１０の下階から給気チャンバ２１に熱Ｑciが移動する。これにより，給気チャンバ２１内を移動する給気ＳＡの温度Ｔsiが上昇することとなる。また，例えば冬季に暖房運転を行う場合は，図１０（ｂ）に示すように，空調機２９の出口温度が２２℃，室１０内の床表面の温度が２４℃，室１０の下階の天井スラブの下面の温度が１５℃であれば，床２０を通じて室１０から給気チャンバ２１に熱Ｑociが移動し，天井２２’を通じて給気チャンバ２１から室１０の下階に熱Ｑciが移動する。これにより，給気チャンバ２１内を移動する給気ＳＡの温度Ｔsiが低下することとなる。このような給気チャンバ２１内における給気ＳＡの温度変化は，移動距離が長ければそれだけ大きくなり，特に，給気チャンバ２１内において空調機２９から離れた場所（例えば，レタンチャンバ２５が接続された位置と反対側となる給気チャンバ２１の側面）では，給気ＳＡの温度が大きく変化してしまう。
【００３５】
そこで，この空調システム１の起動時には，先に図７で説明した開閉ダンパ６１を開き，ファン７０を稼動させることにより，図１１に示すように，給気チャンバ２１内の給気ＳＡを，置換換気チャンバ５５からダクト６０を通じて，室１０内を迂回させて還気チャンバ２３内に強制的に送る状態にする。そして，空調機２９の稼動により，還気チャンバ２３から取込んだ還気ＲＡを空調し，作り出した給気ＳＡを給気チャンバ２１に送り込む。こうして，給気チャンバ２１に供給された給気ＳＡは，置換換気チャンバ５５からダクト６０を通じて，室１０内を通らずに，そのまま還気チャンバ２３内に送られる。この場合，空調機２９には外気ＯＡの取込みをせずに，還気ＲＡのみを取込んで温度調節して給気ＳＡを作り，その給気ＳＡを給気チャンバ２１に送り込んで循環させると良い。
【００３６】
こうして給気チャンバ２１に供給された給気ＳＡは，ファン７０が稼動していることにより，ダクト６０を通じて給気ＳＡの大部分を給気チャンバ２１から強制的に吸い出すようにすればので，吹出し口３０からはほとんど吹き出すことなく，室１０に供給されずに還気チャンバ２３内に送られることとなる。これにより床２０および天井スラブ２２’は空調された空気の温度に近づき，略等しくなったら以降定常運転に移行する。
【００３７】
また，空調システム１の起動時においては，給気チャンバ２１に供給された給気ＳＡを，空気流路が最も長くなる位置関係で還気するのが好ましい。すなわちレタンチャンバ２５が接続された位置と反対側の位置において，給気チャンバ２１内を流通する空気を抜き出し，ダクト６０を通じて還気チャンバ２３内に供給することが望ましい。例えば図１に示した例のように給気チャンバ２１の右側面にレタンチャンバ２５が接続される場合であれば，給気チャンバ２１の左側面に位置する置換換気チャンバ５５にダクト６０を接続するのが良い。そうすれば，給気チャンバ２１内において，給気ＳＡが右側面から反対側の左側面まで移動することとなるので，給気チャンバ２１内を右側面から左側面までの間に渡って給気ＳＡで加熱もしくは冷却することが可能となる。
【００３８】
図１２は，このように空調機２９からの給気ＳＡを置換換気チャンバ５５からダクト６０を通じて還気チャンバ２３内に強制的に送った場合における，空調機２９から置換換気チャンバ５５までの距離（ｍ）と，置換換気チャンバ５５に供給される給気ＳＡの温度（℃）の関係を示したグラフである。この図１２から分るように，空調機２９から置換換気チャンバ５５までの距離が長くなると，それに比例して，置換換気チャンバ５５に供給される給気ＳＡの温度が変化する。また，その変化率は，置換換気チャンバ５５からダクト６０を通じて還気チャンバ２３内に強制的に送る給気ＳＡの量に応じて変化する。例えば夏季に冷房運転を行う場合は，図１２（ａ）に示すように，給気チャンバ２１内の給気ＳＡの１００％を置換換気チャンバ５５からダクト６０を通じて還気チャンバ２３内に送った時が，最も温度上昇が少ない状態で給気ＳＡを給気チャンバ２１内にて移動させることができる。また，例えば冬季に暖房運転を行う場合は，図１２（ｂ）に示すように，給気チャンバ２１内の給気ＳＡの１００％を置換換気チャンバ５５からダクト６０を通じて還気チャンバ２３内に送った時が，最も温度低下が少ない状態で給気ＳＡを給気チャンバ２１内にて移動させることができる。このため，空調システム１の起動時には，冷房運転時及び暖房運転時のいずれの場合も，給気チャンバ２１に供給された給気ＳＡのなるべく多くをダクト６０を通じて還気チャンバ２３内に直接循環させる。そうすれば，給気チャンバ２１内を右側面から左側面までの間に渡って速やかに給気ＳＡで加熱もしくは冷却することが可能となり，熱容量の大きな給気チャンバ２１の蓄熱負荷を迅速に処理し，空調ウォーミングアップ時間を短縮することができる。
【００３９】
また，このように給気チャンバ２１内にて給気ＳＡを移動させる場合，給気チャンバ２１の内部に配置された拡散板４５に給気ＳＡが衝突して拡散し，給気ＳＡは，給気チャンバ２１の幅方向いっぱいに広がりながら，給気チャンバ２１内を右側面から左側面まで流れていくこととなる。空調システム１の起動時においては，給気チャンバ２１の内部全体に給気ＳＡが速やかに広がるので，給気チャンバ２１の内面全体を短時間で全体的に加熱もしくは冷却することができる。
【００４０】
こうして給気チャンバ２１の内面を全体的に加熱もしくは冷却した後，先に図７で説明した開閉ダンパ６１を閉じ，ファン７０の稼動を停止することにより，起動運転を終了する。そして，空調システム１の運転を開始する。即ち，空調機２９の稼動により，空調して作り出した給気ＳＡを給気チャンバ２１に送り込む。これにより，給気チャンバ２１内が陽圧となり，吹出し口３０を通って給気ＳＡが上向きに吹き出され，室１０内のタスク域１３に存在する各作業スペース１５に下から吹きつけられる。また一方で，給気チャンバ２１内の給気ＳＡは，給気チャンバ２１の側面（レタンチャンバ２５の下端に接続されていない側面であって，図５においては，上下側と左側に示された給気チャンバ２１の側面）に設けられた開口４６を通って，室１０内の各ペリカウンタ５２内部に設置された置換換気チャンバ５５にも供給される。こうして各置換換気チャンバ５５に供給された給気ＳＡは，ペリカウンタ５２前面の通気面５３を通過して，室１０の内部においてタスク域１３の周りに形成されたアンビエント域１４に対して供給される。この場合，既に上述のような起動運転を行って給気チャンバ２１内全体を給気ＳＡで予め加熱もしくは冷却していることにより，給気チャンバ２１の内部における給気ＳＡの温度変動を抑制でき，タスク域１３とアンビエント域１４に給気ＳＡを安定した温度で供給できるようになる。
【００４１】
また，こうして給気チャンバ２１内から床２０に設けた吹出し口３０とペリカウンタ５２前面の通気面５３を介して室１０内に給気ＳＡを供給する場合にあっても，給気チャンバ２１の内部に配置された拡散板４５に給気ＳＡが衝突して拡散するので，給気ＳＡは，給気チャンバ２１の内部全体に速やかに広がることとなる。これにより，給気チャンバ２１内を全体的に均一に加圧し，床２０に設けた各吹出し口３０とペリカウンタ５２前面の各通気面５３を介して，タスク域１３とアンビエント域１４に給気ＳＡを満遍なく供給することが可能となる。
【００４２】
そして，床２０に設けられた吹出し口３０から上向きに吹き出された給気ＳＡは，室１０内のタスク域１３に存在する各作業スペース１５に対して，それぞれ空調（タスク空調）を行う。その際，吹出し口３０の旋回ガイドベーン３２に装着されたフィン４１に沿って給気ＳＡが強制的に流されることにより，吹出し口３０から各作業スペース１５に向かって吹き出す給気ＳＡに旋回成分が与えられる。そして，このように旋回しながらタスク域１３に供給される給気ＳＡは，吹出し口３０から噴出された後，周囲の空気をまき込んで各作業スペース１５を空調することとなり，噴出後すぐに減速されるので，噴出速度を比較的早くしても，ドラフト不快域を低くすることができる。こうして，タスク域１３については，居住域８（一般的に床から約１．８ｍ以下の範囲）のみを空調することができる。このように置換換気空調を併用するので，それより上（非居住域９）に溜まった熱を居住域８に攪拌しない。
【００４３】
また，このようにタスク域１３を空調する場合，各作業スペース１５に配置されたコントローラ３８を作業員１１が操作することにより，吹出し口３０に内蔵されたシャッタ３３を開閉させることができる。これにより，各作業スペース１５の吹出し口３０から上向きに吹き出される給気ＳＡの風量が調整され，タスク域１３に存在する各作業スペース１５に対する個別制御も可能である。
【００４４】
また一方，各ペリカウンタ５２内部に設置された置換換気チャンバ５５から供給された給気ＳＡは，ペリカウンタ５２前面の通気面５３を通過し，室１０内のアンビエント域１４に対して供給される。この場合も同様に，置換換気チャンバ５５前面の各給気口５６に装着されたフィン５７に沿って給気ＳＡが強制的に流されることにより，給気口５６からアンビエント域１４に向かって供給される給気ＳＡに旋回成分が与えられる。そして，このように旋回しながらアンビエント域１４に供給される給気ＳＡは，給気口５６から噴出された後，周囲の空気をまき込みながらアンビエント域１４に供給されることとなり，同様にドラフト不快域を狭くすることができる。こうして，アンビエント域１４については，置換換気空調を行う。
【００４５】
こうして，室１０内の床レベルにおいて，タスク域１３に対してタスク空調を行うと共に，アンビエント域１４に対して置換換気を行う一方で，室１０の天井２２に配置された吸気口７５により，室１０内の天井レベルにある空気を還気チャンバ２３内に排気する。こうして還気チャンバ２３内に排気された空気は，空調機２９の稼動により還気ＲＡとなってレタンチャンバ２５に取込まれ，適宜外気ＯＡと混ぜられて，空調された後，再び給気ＳＡとなって給気チャンバ２１に送られ，床面において室１０内に供給される。このように，タスク域１３に対しては加圧式床吹出し方式のタスク空調を行い，アンビエント域１４に対しては置換換気を行って，（室１０全体ではなく）居住域に限定した空調を行うことにより，省エネルギー化を図ることができる。
【００４６】
また，このようにタスク域１３のタスク空調とアンビエント域１４の置換換気を行う際には，アンビエント域１４の空気は，各パーティション１６の足下部分に設けられた開口１７からタスク域１３に流入することになる。これにより，タスク域１３に対しても効率的な置換換気を行うことが可能となる。
【００４７】
そして，例えば夏期などにおいて，ペリメータゾーンで熱気がこもった場合は，温度センサ８０で熱気を検知して，排気ファン７８を稼動させることにより，窓５０に沿って上昇する熱気を吸引し，天井２２に設けたスロット７６から速やかに吸い込み，ダクト７７を通じて室１０外に排気する。これにより，ペリメータゾーンで発生した熱気の上昇気流による室１０上部での攪拌作用を妨げ，ペリメータゾーンで発生する貫流負荷と日射取得熱を低減し，インテリア負荷の増加を防止する。その場合，例えば温度センサ８０で検出される熱気の温度が所定の温度以上となった場合に，室１０外に排気するようにしても良い。
【００４８】
また，例えば冬季などにおいて，ペリメータゾーンでコールドドラフトが発生し，それがスロット６５からペリカウンタ５２内に流下してくる場合は，温度センサ６６でコールドドラフトを検知して，開閉ダンパ６３を開き，ファン７０を稼動させることにより，ペリカウンタ５２内に流下したコールドドラフトを，開口部６４からダクト６０を通じて，還気チャンバ２３内に強制的に送る。この冷気を空調機が受け入れることにより，ペリメータゾーンで発生したコールドドラフトを室１０外に速やかに排気し，インテリア冷却量を低減する。その場合，例えば温度センサ６６で検出されるペリカウンタ５２内の温度ＴＰが設定温度ＴＳＣ（例えば２０℃）以下の場合に，コールドドラフトを検知し，室１０外に排気するようにしても良い。
【００４９】
そして，室１０の複数の側面にペリメータゾーンがそれぞれ存在する場合は，各方位のペリメータゾーンで発生するペリメータ負荷をそれぞれ低減し，省エネルギー化と快適性の向上を図ることが好ましい。即ち，各方位のペリメータゾーンの上方にスロット７６をそれぞれ開口させ，各方位のスロット７６毎に排気ファン７８や温度センサ８０を配置する。また，各方位のペリメータゾーンの下方に配置されるペリカウンタ５２の上面には，スロット６５をそれぞれ開口させ，各方位のペリカウンタ５２毎に温度センサ６６を設けると共に，各方位のペリカウンタ５２内からコールドドラフトを排気させる開閉ダンパ６３，ダクト６０，ファン７０を設ける。
【００５０】
そして，例えば温暖期などにおいては，各方位のペリメータゾーンで発生して上昇した熱気を，室１０の天井２２に設けた各スロット７６から吸い込んで排気する。この場合，各方位のスロット７６に設けられた温度センサ８０で，各スロット７６から排気される熱気の温度をそれぞれ常時計測し，次に示す手法により，各方位別の熱気の排気の切り替えを行う。即ち，各方位のスロット７６から排気される熱気の温度ＴＥｉがいずれも設定温度ＴＳＨ（例えば２８℃）以下の場合は，各方位の排気ファン７８を「中」モードで運転する。一方，いずれかの方位で日射取得熱が卓越し，任意の方位のスロット７６から排気される熱気の温度ＴＥｉが設定温度ＴＳＨを超えた（ＴＥｉ＞ＴＳＨ）場合は，ＴＥｉが最も高い方位の排気ファン７８を「強」モードで運転し，他の方位の排気ファン７８を「弱」モードで運転する。これにより，日射取得熱が最も大きい方位のペリメータ負荷を効率よく排出できる。なお，各方位の排気ファン７８の排気量切り替えは，インバータを用いて制御しても良いし，モータのタップを切り替えて制御しても良い。また，ペリメータゾーンの合計排気風量は，室１０内へ供給される取り入れ外気ＯＡのの流量を上回らないように設定する。
【００５１】
また，例えば冬季などにおいては，各方位のペリメータゾーンで発生したコールドドラフトを，各方位のペリカウンタ５２上面に設けられたスロット６５から室１０外に排気する。また,冬季のように室温が低い場合は，日射取得熱を暖房に利用して，省エネルギー化と快適性の向上を図ることもできる。即ち，各方位のスロット７６から排気される熱気の温度ＴＥｉが設定温度ＴＳＬ（例えば２０℃）以下の場合には，排気される熱気の温度ＴＥｉの最も高い方位と反対の方位の排気ファン７８を「強」モードで運転し，他の方位の排気ファン７８を「弱」モードで運転する。これにより，日射によってペリペータゾーンで発生した暖気は，天井２２に沿って室１０内に広がることとなる。また，天井２２が加熱され，放射によって居住域に熱が伝達されることになる。また，暖気はインテリア還気によって空調機２９に搬送され，空調機２９の加熱量を低減することができる。なお同様に，各方位の排気ファン７８の排気量切り替えは，インバータを用いて制御しても良いし，モータのタップを切り替えて制御しても良い。ファン付吹出口，ファン付ペリカウンタを用いる場合には，空調機械室２５をレタンチャンバとし，空調機２９を熱交換器に替えることもできる。その場合，還気ダクト２９ａや外気ダクト２９ｂを省略しても良い。
【００５２】
以上，本発明の好ましい実施の形態の一例を示したが，本発明は以上に説明した形態に限定されない。例えば，吹出し口３０から各作業スペース１５に向かって吹き出す給気ＳＡの風量調整は，上述したようにシャッタ３３を開閉させて行うほか，手動ダンパやＶＡＶを利用して行っても良い。また，シャッタ３３の開閉は，図２で説明した如きモータ３９の稼動で行う他，手動で羽３７を回転させて開閉を行うようにしても良い。また，吹出し口３０から給気ＳＡを各作業スペース１５に吹き出すために，上述した加圧吹出し方式に代えて，各吹出し口３０にファンを装着しても良い。また，ペリカウンタ５２前面の通気面５３を省略し，置換換気空調チャンバ５５の給気口５３をペリカウンタ全面と面一に設けてもよい。
【産業上の利用可能性】
【００５３】
本発明にあっては，例えばタスク域を床吹出し方式によって空調し，アンビエント域を置換換気方式によって空調することにより，快適性を損うことなくタスク域を空調をし，かつ，省エネルギ化をはかることができる。
【図面の簡単な説明】
【００５４】
【図１】本発明の実施の形態にかかるの概略的な構成を示す説明図である。
【図２】吹出し口の斜視図（ａ）と分解図（ｂ）である。
【図３】各羽を同じ位置に揃えてシャッタを開いた状態を示す説明図である。
【図４】各羽の位置をずらしてシャッタを閉じた状態を示す説明図である。
【図５】給気チャンバの平面図である。
【図６】室の壁面（背部にレタンチャンバが形成されていない側面の壁面）を室の内側から見た状態の説明図である。
【図７】ペリカウンタの内部の説明図である。
【図８】置換換気チャンバ前面の給気口に装着されるフィンの説明図である。
【図９】縦横に並んでいる各給気口から吐出される給気の旋回方向の関係を示す説明図である。
【図１０】給気チャンバ内を移動中の給気に対する室の床や下階の天井からの熱の授受を示す説明図であって，（ａ）は冷房運転時，（ｂ）は暖房運転時を示している。
【図１１】空調システムの起動運転の説明図である。
【図１２】空調システムの起動運転時における空調機から置換換気チャンバまでの距離と，置換換気チャンバに供給される給気温度の関係を示したグラフであって，（ａ）は冷房運転時，（ｂ）は暖房運転時を示している。
【符号の説明】
【００５５】
ＯＡ  外気
ＲＡ  還気
ＳＡ  給気
１    空調システム
１０  室
１３  タスク域
１４  アンビエント域
１５  作業スペース
１６  パーテション
１７  開口
２０  床
２１  給気チャンバ
２２  天井
２３  還気チャンバ
２５  レタンチャンバ
２９  空調機
３０  吹出し口
３８  コントローラ
４５  拡散板
５５  置換換気チャンバ
５０  窓
５２  ペリカウンタ
５６  給気口
６０  ダクト
６１，６３  開閉ダンパ
６５  スロット
６６  温度センサ
７０  ファン
７５  吸気口
７６  スロット
７８  排気ファン
８０  温度センサ
【図１】
2005098696.tif 000003
【図２】
2005098696.tif 000004
【図３】
2005098696.tif 000005
【図４】
2005098696.tif 000006
【図５】
2005098696.tif 000007
【図６】
2005098696.tif 000008
【図７】
2005098696.tif 000009
【図８】
2005098696.tif 000010
【図９】
2005098696.tif 000011
【図１０】
2005098696.tif 000012
【図１１】
2005098696.tif 000013
【図１２】
2005098696.tif 000014